(57)【要約】【課題】従来のバリアでは、外力が鏡胴に作用した時に、バリアユニットのカバーと基盤を係合するフックが外れて、レンズ鏡胴が破壊するという課題を有していた。また、外力が鏡胴に作用した時に、バリアユニットとレンズ筐体を係合するフックが外れて、レンズ鏡胴が破壊するという課題を有していた。外力が鏡胴に作用しても、破壊することのないレンズ鏡胴を提供する。【解決手段】バリアユニットのカバーのフックや、基盤のフックに凸部を設け、化粧リングの内壁面によってそれぞれの凸部を押圧することによって、外力が作用しても破壊しないレンズ鏡胴を実現する。【選択図】図３
2010204522.tif 000002
【特許請求の範囲】
【請求項１】
レンズと、
前記レンズが設けられた筐体と、
前記筐体に設けられ、レンズを保護するためのバリアと、
前記バリアもしくは前記筐体に取り付けられ、前記バリアの外周を覆う円筒形状の化粧リングと、
を有するレンズ鏡胴であって、
前記バリアは、
基盤と
前記基盤に開閉自在に設けられた複数枚の羽根と、
前記基盤と一体に設けられ、前記羽根に対向して前記羽根を覆うカバーと、
前記基盤の外周に設けられた第１の突起部と、
前記カバーに設けられ、前記第１の突起部と係合し、前記カバーを前記基盤と一体に取り付ける弾性フック部と、を有し
前記弾性フック部には第２の突起部が設けられ、
前記化粧リングの内壁面によって前記第２の突起部が押圧され、前記弾性フック部が弾性変形させられることを特徴とするレンズ鏡胴。
【請求項２】
レンズと、
前記レンズが設けられた筐体と、
前記筐体に設けられ、レンズを保護するためのバリアと、
前記バリアもしくは前記筐体に取り付けられ、前記バリアの外周を覆う円筒形状の化粧リングと、
を有するレンズ鏡胴であって、
第1の突起部が前記筐体の外周に設けられ、
前記バリアに設けられ、前記第1の突起部と係合し、前記バリアを前記筐体と一体に取り付ける弾性フック部と、を有し
前記弾性フック部には第２の突起部が設けられ、
前記化粧リングの内壁面によって前記第２の突起部が押圧され、前記弾性フック部が弾性変形させられることを特徴とするレンズ鏡胴。
【発明の詳細な説明】
【技術分野】
【０００１】
本発明は、スティルカメラやビデオムービーカメラに使用されるレンズ鏡胴に関するものである。
【背景技術】
【０００２】
図５は、従来のレンズ鏡胴の部品構成を表す上面斜視図であり、図６は従来のレンズ鏡胴の部品構成を表す下面斜視図である。図７は従来のレンズ鏡胴の第１の断面図で、図８は従来のレンズ鏡胴の第２の断面図である。図５，６、７，８において、１００はバリアユニットで、バリアユニット１００は以下のように構成されている。１はカバーで、２は第１の羽根で、３は第２の羽根で、４は基盤で、５は第１のリングで、６は第２のリングで、７は第１のバネで、８は第２のバネである。第１及び第２の羽根２，３は、回転穴１５，１６によって基盤４上の軸９，１０に回転自在に取り付けられている。カバー１は、カバーに一体に弾性的に設けられたフック１１が基盤４に設けられたフックストッパー１２に係合することよって、第１、第２の羽根２，３を回動自在に所定の間隙をもってその間に挟み込んで基盤４と一体に取り付けられる。１３はカバー１に設けられた開口部である。第１及び第２のリング５，６は、基盤４の円筒部１４に回転自在に取り付けられる。第１のリング５に設けられたカムピン１９，２０は、第１及び第２の羽根に設けられた長穴１７，１８に係合し、羽根を回転駆動する。第１のバネ７は、第１のリング５のバネかけ部２１と第２のリング６のバネかけ部２２に張架される。第２のバネ８は、第２のリング６のバネかけ部２３と基盤４のバネかけ部２４に張架される。２５は第２のリング６に設けられたリング凸部であり、第１のリング５の切欠き部２６に挿入されて、組み立てられる。２７は基盤４に設けられた開口部である。２８は第２のリングに設けられたカム部であり、図示されない駆動手段によって、カム部２８が付勢されることによって、第１、第２の羽根２，３が閉方向（Ｂ方向）に、第２のリング６が駆動される。第１のバネ７によって第１、第２のリング５，６は一体となっており、第２のリング６が閉方向（Ｂ方向）にカム部２８によって駆動され、第１、第２の羽根２，３が閉じた後、さらに余裕をもって第２のリング６が閉方向に回転駆動させられた時、第１のバネ７は伸びて、第２のリング６の第１のリング５に対する行き過ぎ量を回避する。第２のバネ８によって第２のリング６が、開方向に付勢され、リング凸部２５、切欠き部２６を介して第１のリング５を駆動する。カムピン１９は、長穴１７を介して、第１の羽根２を開方向に付勢する。第１の羽根２は、ストッパー２９に押し付けられ、当接して止まる。２ａ、３ａは、羽根の閉状態にて、第１、第２の羽根が互いに当接する当接端面である。以上がバリアユニット１００の構成である。３０は化粧リングで、３１はレンズ筐体で、レンズ筐体３１には図示されないレンズ群が設けられている。３１ａはレンズ筐体３１に設けられた凸部で、基盤4に設けられたフック４ａと係合することによってバリアユニット１００をレンズ筐体３１に保持する。化粧リング３０はバリアユニット１００を内蔵して、図示されない手段によってレンズ筐体３１に固定される。
【０００３】
また、特許文献１は、従来のバリアユニットを開示する。これによれば、２枚の同一形状の羽根を用いて良好な閉塞状態を得られるという効果がある。
【特許文献１】特開平５−２７３０１号公報
【発明の開示】
【発明が解決しようとする課題】
【０００４】
図５〜８に開示したような従来のレンズ鏡胴において、装置本体に外力がかかった時に、カバー１のフック１１が基盤４のフックストッパー１２から外れるという課題を有していた。また、本体に外力がかかった時に、基盤４のフック４ａがレンズ筐体３１の凸部３１ａから外れるという課題を有していた。
【０００５】
本発明は上記従来の問題点を解決するもので、外力が作用しても壊れにくいレンズ鏡胴を提供することを目的とする。
【課題を解決するための手段】
【０００６】
この目的を達成するために本発明のレンズ鏡胴は、カバーのフックに凸部を設け、化粧リングの内壁面リングの内壁面によってカバーのフックの凸部が押圧され、カバーのフックが弾性変形する構成になっている。
【０００７】
この構成によって、化粧リングが組まれた状態では、フックが凸部から外れることがなくなり、外力が作用しても壊れにくいレンズ鏡胴を実現する。
【０００８】
また、この目的を達成するために本発明のレンズ鏡胴は、基盤のフックに凸部を設け、化粧リングの内壁面リングの内壁面によって基盤のフックの凸部が押圧され、基盤のフックが弾性変形する構成になっている。
【０００９】
この構成によって、化粧リングが組まれた状態では、フックが凸部から外れることがなくなり、外力が作用しても壊れにくいレンズ鏡胴を実現する。
【発明の効果】
【００１０】
本発明のレンズ鏡胴は、カバーのフックに凸部を設け、化粧リングの内壁面リングの内壁面によってカバーのフックの凸部が押圧され、カバーのフックが弾性変形することにより、化粧リングが組まれた状態では、フックが凸部から外れることがなくなり、外力が作用しても壊れにくいレンズ鏡胴を実現する。
【００１１】
また、基盤のフックに凸部を設け、化粧リングの内壁面リングの内壁面によって基盤のフックの凸部が押圧され、基盤のフックが弾性変形することにより、化粧リングが組まれた状態では、フックが凸部から外れることがなくなり、外力が作用しても壊れにくいレンズ鏡胴を実現する。
【発明を実施するための最良の形態】
【００１２】
（実施の形態１）
図１は、本発明のレンズ鏡胴の実施の形態１の部品構成を表す上面斜視図で、図２は本発明のレンズ鏡胴の実施の形態１の部品構成を表す下面斜視図である。図３は本発明のレンズ鏡胴の実施の形態１の第１の断面図で、図４は本発明のレンズ鏡胴の実施の形態１の第２の断面図である。図１，２，３，４において、１００はバリアユニットで、バリアユニット１００は以下のように構成されている。１はカバーで、２は第１の羽根で、３は第２の羽根で、４は基盤で、５は第１のリングで、６は第２のリングで、７は第１のバネで、８は第２のバネである。第１及び第２の羽根２，３は、回転穴１５，１６によって基盤４上の軸９，１０に回転自在に取り付けられている。カバー１は、カバーに一体に弾性的に設けられたフック１１が基盤４に設けられたフックストッパー１２に係合することよって、第１、第２の羽根２，３を回動自在に所定の間隙をもってその間に挟み込んで基盤４と一体に取り付けられる。１３はカバー１に設けられた開口部である。第１及び第２のリング５，６は、基盤４の円筒部１４に回転自在に取り付けられる。第１のリング５に設けられたカムピン１９，２０は、第１及び第２の羽根に設けられた長穴１７，１８に係合し、羽根を回転駆動する。第１のバネ７は、第１のリング５のバネかけ部２１と第２のリング６のバネかけ部２２に張架される。第２のバネ８は、第２のリング６のバネかけ部２３と基盤４のバネかけ部２４に張架される。２５は第２のリング６に設けられたリング凸部であり、第１のリング５の切欠き部２６に挿入されて、組み立てられる。２７は基盤４に設けられた開口部である。２８は第２のリングに設けられたカム部であり、図示されない駆動手段によって、カム部２８が付勢されることによって、第１、第２の羽根２，３が閉方向（Ｂ方向）に、第２のリング６が駆動される。第１のバネ７によって第１、第２のリング５，６は一体となっており、第２のリング６が閉方向（Ｂ方向）にカム部２８によって駆動され、第１、第２の羽根２，３が閉じた後、さらに余裕をもって第２のリング６が閉方向に回転駆動させられた時、第１のバネ７は伸びて、第２のリング６の第１のリング５に対する行き過ぎ量を回避する。第２のバネ８によって第２のリング６が、開方向に付勢され、リング凸部２５、切欠き部２６を介して第１のリング５を駆動する。カムピン１９は、長穴１７を介して、第１の羽根２を開方向に付勢する。第１の羽根２は、ストッパー２９に押し付けられ、当接して止まる。２ａ、３ａは、羽根の閉状態にて、第１、第２の羽根が互いに当接する当接端面である。以上がバリアユニット１００の構成である。３０は化粧リングで、３１はレンズ筐体で、レンズ筐体３１には図示されないレンズ群が設けられている。３１ａはレンズ筐体３１に設けられた凸部で、基盤4に設けられたフック４ａと係合することによってバリアユニット１００をレンズ筐体３１に保持する。化粧リング３０はバリアユニット１００を内蔵して、図示されない手段によってレンズ筐体３１に固定される。１１ａはカバー１のフック１１に設けられた凸部で、４ｂは基盤４のフック４ａに設けられた凸部である。図３，４に示すように化粧リングの内壁面３０ａによって、カバー１��フック１１に設けられた凸部１１ａおよび、基盤４のフック４ａに設けられた凸部４ｂは押圧され、フック１１、フック４ａは弾性変形することによって、それぞれフックストッパー１２および凸部３１ａから外れなくなり、外力が作用しても破壊しないレンズ鏡胴を実現できる。
【産業上の利用可能性】
【００１３】
本発明は、スティルカメラやビデオムービーカメラ等に用いられるレンズ鏡胴に関するもので、バリアユニットのカバーのフックや、基盤のフックに凸部を設け、化粧リングの内壁面によってそれぞれの凸部を押圧することによって、外力が作用しても破壊しないレンズ鏡胴を実現する。
【図面の簡単な説明】
【００１４】
【図１】本発明の鏡胴の実施の形態１の部品構成を表す上面斜視図
【図２】本発明の鏡胴の実施の形態１の部品構成を表す下面斜視図
【図３】本発明のレンズ鏡胴の実施の形態１の第１の断面図
【図４】本発明のレンズ鏡胴の実施の形態１の第２の断面図
【図５】従来の鏡胴の実施の形態１の部品構成を表す上面斜視図
【図６】従来の鏡胴の実施の形態１の部品構成を表す下面斜視図
【図７】従来のレンズ鏡胴の実施の形態１の第１の断面図
【図８】従来のレンズ鏡胴の実施の形態１の第２の断面図
【符号の説明】
【００１５】
１    カバー
１１    フック
１１ａ    凸部
４    基盤
４ａ    フック
４ｂ    凸部
３０    化粧リング
３０ａ    内壁面
３１    レンズ筐体
【図１】
2010204522.tif 000003
【図２】
2010204522.tif 000004
【図３】
2010204522.tif 000005
【図４】
2010204522.tif 000006
【図５】
2010204522.tif 000007
【図６】
2010204522.tif 000008
【図７】
2010204522.tif 000009
【図８】
2010204522.tif 000010